(57)【特許請求の範囲】
【請求項１】
雌体１と雄体２とから形成されたバックルにおいて、雌体１はハウジング５内に雄体２の収納空間部６を形成し、ハウジング５には収納空間部６内へ連通する雄体２の差込口１０とキー挿入孔１１を設け、差込口１０の対向端にベルト取付部１２を設け、雄体２は平板状の差込板３０の基端にベルト調整部３１を設け、ハウジング５と差込板３０の対向面のいずれか一方に係止部１５を突設し、いずれか他方に弾性変形可能な被係止部３２を弾出し、差込時には係止部１５と被係止部３２とが係止するとともに、ベルト調整部３１がハウジング５により隠蔽され、抜取時にはキー３の挿入により被係止部３２を弾性変形させ係止部１５と被係止部３２との係止を解除可能に形成してなることを特徴とするバックル。
【請求項２】
雌体１のハウジング５の上面板７にフック状の係止部１５を突設し、差込板３０の表面に一端を起点として他端が上方へ弾出する被係止部３２を設けてなる請求項１記載のバックル。
【請求項３】
差込板３０の一面にキー３の先端が当接可能な当接部３７を突設してなる請求項１または２記載のバックル。
【請求項４】
キー３は先端がＵ字状を呈し、ハウジング５と差込板３０の対向面間に挿入して被係止部３２を押下可能に形成してなる請求項２記載のバックル。
【発明の詳細な説明】
【０００１】
【発明の属する技術分野】
この発明は、一端にベルト取付部を備えた直方体形の雌体と、一端にベルト調整部を備え雌体に差込む平板状の雄体とからなるバックルであって、ベルトの厚さに左右されることなく的確に締め付け調整ができるバックルであり、しかも簡易施錠機構を装備させることができ、宅配商品のパッケージに用いる締結ベルト、あるいは旅行用鞄などの締結ベルトに用いられるバックルに関するものである。
【０００２】
【従来の技術】
従来のバックルにあっては、ベルトの一端を雄部材に取り付け固定するのに、たとえば図３７に示すように、雄部材の一端に連結調整部として、側壁に水平の長穴を設け、この長穴にベルトを捲回する棒状部材を前後に移動自在に軸支し、棒状部材は雄部材に固定した固定棒部材と対接して棒状部材に捲回したベルトを固定棒部材側へ引っ張ってベルトを固定棒部材と棒状部材とで挟持し、この状態の連結調整部を管状の雌部材の収納空間に雄部材を差込むことによって、棒状部材に捲回し固定棒部材上に配した重合状態のベルトを固定棒部材と管状の雌部材の天板すなわち第２板部との間に閉じ込めてベルトを押圧することによって、ベルトの弛緩を防止する形態のバックルが特許第２５３０１２６号公報に開示されている。
【０００３】
【発明が解決しようとする課題】
前項で述べた図３７に示すバックルは、雄部材の棒状部材に捲回して固定棒部材との間で挟持したベルトは固定棒部材の上面に二重に重ねられて雌部材の第２板部によって上方から押え付けて固定するものであるから、ベルトの厚さが厚い場合は使用できないし、薄いとスリップするおそれがあり、ベルトの厚さに左右されることなく的確にベルトを保持することが難しい。また、このバックルには施錠機構が装備されていないので、使用範囲が通常のバックルの範囲に限られるなど、いろいろと問題点がある。
【０００４】
この発明は、上述の問題点を考慮して発明されたものであり、この発明のうち請求項１記載の発明は、雌体と雄体とから形成されたバックルにおいて、雌体のハウジングに雄体の差込板を差し込み係止させると、キーを用いて施錠を解除しない限り、雌体と雄体とを分離開放することができない機構を備え、しかもベルトの長さ調整を行う部分が雌体のハウジング内に隠蔽されるため、ベルトの緊締を弛緩させる操作は絶対にできない。ただしその反対のベルトを引き締める方向に引っ張って緊締させることはできるので安心して使用できる安全な簡易施錠機構を装備したバックルを提供することが主たる目的である。
【０００５】
請求項２記載の発明は、請求項１記載の発明の目的に加え、雌体のハウジングに係止部、差込板に被係止部を設ける雌雄タイプのバックルを提供することが目的である。
【０００６】
請求項３記載の発明は、請求項１または２記載の発明の目的に加え、差込板とキーの関係を特定し、優れた機能が発揮できる雌雄タイプのバックルを提供することが目的である。
【０００７】
請求項４記載の発明は、請求項２記載の発明の目的に加え、キーの形態、機能を特定することによって、優れた機能が発揮できる雌雄タイプのバックルを提供することが目的である。
【０００８】
【課題を解決するための手段】
前記の目的を達成するため、この発明のうち請求項１記載の発明は、雌体１と雄体２とから形成されたバックルにおいて、雌体１はハウジング５内に雄体２の収納空間部６を形成するとともに、ハウジング５には収納空間部６へ連通する雄体２を差し込むための差込口１０と、係止解除を行うキー３を差し込むためのキー挿入孔１１をそれぞれ設け、差込口１０の反対側の対向端にはベルト取付部１２を設け、雄体２は平板状の差込板３０の基端にベルト調整部３１を設け、ハウジング５と差込板３０の対向面のいずれか一方に係止部１５を突設し、いずれか他方に弾性変形可能な被係止部３２を弾出し、差込時には係止部１５と被係止部３２とが係止するとともに、ベルト調整部３１がハウジング５により隠蔽され現出することがなく、抜脱時には特定のキー３の挿入使用により係止部１５と被係止部３２との係止を解除するバックルを主な構成とする。
【０００９】
請求項２記載の発明は、請求項１記載の発明の構成に加え、雌体１のハウジング５における上面板７にフック状の係止部１５を突出状に設け、差込板３０の表面に一端を起点として他端が上方へ弾出して揺動できる被係止部３２を設けて係止できるバックルである。
【００１０】
請求項３記載の発明は、請求項１または２記載の発明の構成に加え、差込板３０の一面にキー３の先端が当接できる当接部３７を突設したバックルである。
【００１１】
請求項４記載の発明は、請求項２記載の発明の構成に加え、キー３は先端がＵ字状を呈し、ハウジング５と差込板３０の対向面間に挿入して被係止部３２を押し下げることができるように形成したバックルである。
【００１２】
【発明の実施の形態】
以下、この発明のバックルの実施の形態について、図面を参照しながら具体的に説明する。
【００１３】
この発明のバックルは、図１に示す第１実施例のバックル、図１１に示す第２実施例のバックル、図２３に示す第３実施例のバックル、図３２に示す第４実施例のバックルおよび図３５に示す第５実施例のバックルはともに、ソケットと称する雌体１と、プラグと称する雄体２と、キー３の３部材から構成され、雌体１は雄体２を収納できる収納空間部６を有するハウジング５から形成され、雄体２は収納空間部６に差し込むことができる差込板３０と、他端側にベルトＢを取り付け調整することができるベルト調整部３１を装備し、キー３は特定の形状を有し、雌体１に差し込むことにより雌体１と雄体２の施錠を解錠して、雄体２を抜脱するバックルである。雌体１、雄体２、キー３は、それぞれポリアミド、ポリアセタール、ポリプロピレン、ポリプチレンテレフタレートなどの熱可塑性樹脂またはこれらの樹脂に耐摩耗性強化材を加えた射出成形手段によって成形して形成する。
【００１４】
図１に示す第１実施例のバックルは、図２〜４に示すように、雌体１は緩やかな傾斜曲線を描く上面板７と下面が水平状の下面板８を平行する側壁９で囲み内側に収納空間部６を設けた長方体形のハウジング５から形成され、分厚く形成された側のハウジング５の端部に大きく開口する差込口１０を形成し、薄く形成された側のハウジング５の端部にキー挿入孔１１が設けられている。雄体２の差込板３０を差込口１０より挿入し、雄体２のベルト調整部３１がハウジング５の上面板７、下面板８、側壁９により外部から隠蔽される形態で収納空間部６内へ収納される。
【００１５】
ハウジング５における上面板７の裏面の中央の斜面に図３、４に示すように先端がキー挿入孔１１側に向いたフック状の係止部１５を左右に２個突設し、この係止部１５の前方中央の水平面に小突起１６を突設して挿入孔１１から平板状の物品の侵入を阻止できる形に形成する。さらに左右の係止部１５の両側に下面が水平状の突条を突設して挿入されるキー３の上方への可撓を防ぐガイド条１７を設け、差込口１０側の上面板７の裏面に差込口１０から一定の長さの下面が水平状の突出条を突設して挿入される雄体２の円弧状に隆起する支持壁３３をガイドするガイド突条１９を設けて、雄体２が収納空間部６内においてがたつくことを防止する。ハウジング５の差込口１０と反対側のハウジング５の下面板８にベルトを取り付けることができる透孔２０を設けてベルト取付部１２を設けてベルトＢの一端を取り付ける。
【００１６】
一方雄体２は図５、６に示すように、基杆２９を横設し、この基杆２９の前方に平板状の差込板３０を突設し、差込板３０の略中央に両側と後方を切離し先端を起点として後端が上方へ弾力的に突出する板状の被係止部３２を設け、被係止部３２の両側に差込板３０から起立する突条を設けて挿入されるキー３の先端が当接できる当接部３７を形成する。基杆２９の両端には後方に向かって円弧状に隆起する板状の支持壁３３を設け、この支持壁３３の基杆２９側の上部にベルトＢを引っ掛ける引掛杆３４を架設し、支持壁３３の中央に一端にベルトＢを係止できるベルト係止部３９を備えた係止杆３５を架設し、さらに支持壁３３の後端の下部に挿通されたベルトＢを載置できる載置杆３６を架設する。
【００１７】
キー３は図７、８に示すように長方形の平板で先端にＵ字状の凹部４７を設けて二股状に形成し、両側に押圧脚片４８を形成して差込板３０の当接部３７に当接できるように形成する。また凹部４７の中央に角形の切欠部４９を設けてハウジング５に突設した小突起１６に嵌入できるように形成する。さらに反対側は分厚く段差部５０を設けることによって持ち易く、またハウジング５のキー挿入孔１１に挿入したとき、ハウジング５の口縁に当接して、それ以上の侵入を阻止する役目を果たす。
【００１８】
以上説明したバックルの使用態様は、まず雄体２のベルト調整部３１にベルトＢを取り付けるが、ベルトの一端を雌体１のハウジング５の取付部１２に取り付け、他端の先端を載置杆３６の上側を通して引掛杆３４に引っ掛けて捲回し、係止杆３５の下側を通して外側へ引き出し、この状態で雄体２の差込板３０を図９に示すように雌体１のハウジング５の差込口１０から差し込み、被係止部３２を係止部１５に係止させる。この状態において、ベルト調整部３１の上方は上面板７によって外部より隠蔽され、ベルト調整部３１の下方は下面板８により外部から隠蔽され、係止杆３５と下面板８との間にベルトＢを通し、ベルトＢが水平状態となるように支持している。この時、ベルトＢの他端寄りである上側のベルトＢを矢印方向へ引っ張るとベルトＢは移動し、図示せぬ物品に巻き回されたベルトＢを引き締めに余裕がある限り更に緊締することができる。ベルトＢを緩めるには矢印方向と逆方向にベルトＢを移動させなければならないが、ベルト調整部３１がハウジング５により隠蔽されているのでベルトＢを触ることができないほか、ベルトＢが下面板８及び載置杆３６によって水平状態に支持され、ベルトＢを係止杆３５の係止部３９との当接より離れる方向に移動させることができないため、下側のベルトＢを引っ張ってもその作用がベルトＢを係止部３９に圧接するよう働き、ベルトＢを緩めるべく移動させることができない。
【００１９】
雌体１と雄体２とが施錠状態にある場合、解錠させるには、図１０に示すようにハウジング５のキー挿入孔１１からキー３を挿入すると、キー３の左右の押圧脚片４８によって被係止部３２を押し下げ、さらに押圧脚片４８の先端で差込板３０に設けた当接部３７を押し、係止部１５と被係止部３２の係止を解除して収納空間部６から雄体１２を押し出し取り外すことができる。
【００２０】
なお、この時キー３の切欠部４９に小突起１６が嵌入する。雌体１と雄体２とが施錠状態において、キー３の代用として平板を差し込んでも平板の先端はハウジング５に設けた小突起１６によって侵入を阻止され解錠させることができないから、悪戯される弊害がなく安全なバックルである。
【００２１】
図１１に示す第２実施例のバックルは、図１２〜１６に示すように、雌体１は内部に収納空間部６を設けた扁平な筒状のハウジング５から形成され、ハウジング５は上面板７、下面板８、側壁９からなり、下面板８の一端を外方へ突出させ、この突出部分にベルトＢを挿通することができる透孔２０を設けて、ベルトＢを取り付ける取付部１２を形成する。ハウジング５のベルト取付部１２の反対側に、雄体２を挿入できる差込口１０を設け、側壁９の中間で上面板７側に近寄った個所に弾性を備えた支持杆２２を架設し、この支持杆２２は中央部分に差込口１０側へＵ字状に屈折した屈折部２３を設けることにより支持杆２２に弾力性を付与する。この屈折部２３には図１３に示すように先端が逆台形を呈する小片状の押圧片２４を一体に成形し、押圧片２４は雄体２が差し込まれた時、ベルトＢを引っ掛けた引掛杆３４を押圧できるように形成する。ハウジング５のベルト取付部１２側に差込口１０に対向してキー挿入孔１１を設け、キー３を収納空間部６内へ挿入可能に形成する。
【００２２】
上面板７の内面には、図１５に示すように側壁９と押圧片２４との中間であって、支持杆２２側から差込口１０側にかけて差込板３０をガイドする差込板用ガイドリブ２５を突設し、また支持杆２２側から取付部１２側にかけて差込板３０の外れ止めリブ２６が突設され、さらにこの外れ止めリブ２６の外側にキー３をガイドするためのキー用ガイドリブ２７が配設され、この挿入孔１１からキー用ガイドリブ２７、下面板８のキー用ガイドリブ２８に沿ってキー３を挿入する。
【００２３】
下面板８の内面には、図１４に示すように上面板７に設けた外れ止めリブ２６間の幅と等しい板状の被係止部３２を、図１３に示すように差込板３０の差し込み方向へ一端を起点として他端を上方へ弾力的に突出させる。被係止部３２は先端の上部が突出し下部が後退する形に傾斜し、差込板３０のフック状の係止部１５と係止できるように形成する。
【００２４】
この被係止部３２の両側には、図１３に示すように係止部１５と被係止部３２とをキー３によって施錠を解錠するとき、差込板３０が必要以上に撓み下動するのを阻止する阻止部４１が形成され、この阻止部４１の外側にはキー３をガイドするためのキー用ガイドリブ２８が配され、上面板７の内面に設けたキー用ガイドリブ２７と対応するように形成されている。
【００２５】
次に雄体２は、図１７〜１９に示すように基杆２９の両側に、基杆２９よりも上方へ突出する支持壁３３を設け、この支持壁３３にベルトＢの長さ調整ができる調整部３１を形成する。この調整部３１は、図１９に示すように基杆２９に近い部分に基杆２９から外側へ下り勾配の形でベルトＢを引っ掛ける引掛杆３４を配し、かつガイドすることができるガイド孔４０を設け、このガイド孔４０に引掛杆３４の両端に設けた枢軸４３を遊嵌し、引掛杆３４をガイド孔４０に沿って斜めに可動できるように形成する。支持壁３３の略中央であってガイド孔４０の斜め下方にベルトＢを折り曲げるための折曲杆４４を架設してベルト調整部３１を形成する。さらに支持壁３３の後端の下部に挿通したベルトＢを載置できる載置杆３６を架設する。
【００２６】
また基杆２９の上端から前方へ平板状の差込板３０を突設し、この差込板３０は中央に凹欠部４５を設けてキー３の中央に設けた鋭角状に尖ったテーパーのある押下片５１が挿入できるように形成する。差込板３０の両側にはキー３の両側に突設した突片５２が嵌入できる欠切部４６が形成され、キー３が安定した状態でハウジング５に差し込むことができる。さらに二股状に形成された差込板３０の先端下面には図１９に示すように下方へフック状に突出する係止部１５を設け、差込板３０をハウジング５に差し込んだ時、ハウジング５に設けた被係止部３２と係止できるように形成する。
【００２７】
なお、雄体２の係止部１５を差込板３０の上面に設け、雌体１の被係止部３２を上面板７に設ける形態であってもよい。
【００２８】
キー３は図１１に示すように、ハウジング５に挿入できる幅の細長い平板状の基板５３の中央に先端が鋭角状に尖ったテーパーのある被係止部３２を押し下げることができる押下片５１を突出するように設け、また両側に基板５３から前方へ突出する突片５２を設けて、差込板３０の切欠部４９に挿入できるように形成する。
【００２９】
雌体１、雄体２およびキー３は以上説明した形態に形成し、これらの部材の使用態様は、雌体１の一端に設けた取付部１２にベルトＢの一端を取り付け、ベルトＢの他端を雄体２の載置杆３６上を通して引掛杆３４を捲回して引掛杆３４に引っ掛け、折曲杆４４の下辺で重合して外方へ引っ張って緊張させる。この状態で差込板３０を雌体１のハウジング５の差込口１０から図２１に示すように差し込むと支持杆２２に設けた押圧片２４がベルトＢを介して引掛杆３４を弾発的に押圧し、さらに差込板３０を押し込むと係止部１５がハウジング５の被係止部３２と係止すると同時に、押圧片２４は引掛杆３４をガイド孔４０内で滑動させ、図２２に示すように引掛杆３４に引っ掛けられたベルトＢを折曲杆４４に圧接する。この状態でベルト調整部３１はハウジング５によって外部から隠蔽され、前述した実施例と同様にベルトＢを弛緩させる操作は一切できない。
【００３０】
雌体１と雄体２とが係止部１５と被係止部３２とで係止し施錠状態にある場合、解錠させるには、キー３をハウジング５のキー挿入孔１１から挿入すると、キー３の中央に設けた押下片５１の先端で被係止部３２を押し下げ、係止部１５と被係止部３２の係止が解除され、雌体１と雄体２とは分離開放され、雄体２を雌体１から自由に抜脱させることができる。
【００３１】
図２３に示す第３実施例のバックルは、図２３〜２６に示すように、雌体１は内部に収納空間部６を設けた扁平な筒状のハウジング５から形成され、ハウジング５は上面板７、下面板８、側壁９からなり、下面板８の一端を外方へ突出させ、この突出部分にベルトＢを挿通することができる透孔２０を設け、ベルトＢを取り付ける取付部１２を形成する。ハウジング５のベルト取付部１２の反対側に、雄体２を挿入できる差込口１０を設け、ハウジング５の中間に両側壁９にわたる基台１４を架設し、基台１４は側壁９の略半分の高さで差込口１０側は斜面に形成して差込板３０の挿入が容易に行えるように形成し、基台１４の上端から差込方向へ一端を起点として他端を上方へ弾力的に突出させた被係止部３２を設け、この被係止部３２は先端がやや上方へ向けて突出し、先端部分は上部が突出し下部が後退する斜面に形成され、被係止部３２における先端の下面には図２５、２６に示すようにキー３と略同形の孔部７０を備えた板状の垂下片１３を一体に成形し、孔部７０の下面は入口が広いテーパー面５４に形成して平板状のキー３を挿入することによって被係止部３２を下動することができる。また被係止部３２と上面板７との間に差込板３０が挿通できる通路部４２が形成されている。ハウジング５のベルト取付部１２側に差込口１０に対向してキー挿入孔１１を設け、キー３を収納空間部６内へ挿入できるように形成する。
【００３２】
ハウジング５の係止部１５の前方には、垂下片１３に設けた孔部７０の下面のテーパー面５４と同高で、キー３を挿入する際ガイドする鍵形状のガイド台５５を側壁９間に設け、このガイド台５５の上方にキー３の厚みに相当する間隙をもって側壁９より突出するガイド片５６を設け、キー３がガイド台５５とガイド片５６間を移動し、孔部７０へ正常に挿入される形に形成する。またガイド片５６はキー３を孔部７０に挿入して、被係止部３２が下動したとき、差込板３０の先端が当接して被係止部３２といっしょに下動することを阻止する阻止部５７を形成し、差込板３０と被係止片３２との係止解除を的確に行えるように形成する。
【００３３】
ハウジング５の差込口１０側の側壁９にハウジング５の長手方向へ開口し、雄体２のベルト調整部３１に設けた突出部５８が滑動できるガイド溝５９を設け、雄体２の雌体１に対する挿脱操作が円滑に行えるように形成する。また上面板７は、差込口１０からガイド溝５９間は表面へ膨出する膨らみを持たせ、雄体２のベルト調整部３１の挿入を容易にする。
【００３４】
一方雄体２は、図２７、２８に示すように、基杆２９の前方に平板状の差込板３０を突設し、この差込板３０の下面には図２８に示すように差込方向に逆らう形に傾斜した、すなわち差込方向の軸線に対して鋭角で交わる直線方向に突出するフック状の係止部１５を差込板３０の先端から所定間隔毎に複数個設け、雌体１の被係止部３２と係止できるように形成する。基杆２９に対する差込板３０の付根両側に被係止部３２と同高に突出する補強部６０を設け、さらに差込板３０の上面両側にも突出する補強条部６１を設けて差込板３０を補強する。なお、差込板３０は、上面の補強条部６１および下面の補強部６０の外側に張り出す張出部６２を設け、ハウジング５内の通路部４２に安定して挿入保持できるように形成する。
【００３５】
基杆２９の両端で後方に支持壁３３を設け、支持壁３３は基杆２９よりも下方へ突出する部分を備えた肉厚の厚い板体から形成され、この支持壁３３の基杆２９に近い部分にベルトを捲回して引っ掛ける引掛杆３４を架設し、この引掛杆３４は前後にベルトＢがスリップするのを防ぐために突出する突条を食い違い状に設ける。支持壁３３の略中央で、この引掛杆３４の斜め後方位置に端部にベルトＢを係止できる鋭角状のベルト係止部３９を備えた係止杆３５を架設してベルトの長さ調整ができるベルト調整部３１を形成する。さらに支持壁３３の後端下部に挿通されたベルトＢを載置できる載置杆３６を設ける。
【００３６】
支持壁３３の外側面には、図２９に示すように雌体１のハウジング５に設けたガイド溝５９に挿入し滑動でき、かつ外方へ突出して把持できる大きさの突出部５８を突設し、雄体２が雌体１に対し容易に挿脱操作が行えるように形成する。なお、雄体２の係止部１５を上面板７に設け、雌体１の被係止部３２を差込板３０の上面に設ける形態であってもよい。またキー３は図２３に示すように平坦な板体から形成され、先端が細幅状に形成された挿入部６３を設け、図２５、２６に示す係止部１５の先端下面に設けた垂下片１３の孔部７０に容易に挿入できるように形成する。
【００３７】
雌体１、雄体２、キー３の使用態様は、図３０に示すように雌体１のハウジング５に設けた取付部１２にベルトＢの一端を取り付け、他端を雄体２の載置杆３６上を通して係止杆３５の下側を通し、次に引掛杆３４に捲回して引っ掛け、先端を再び係止杆３５の下側を通し、ベルトＢをベルト係止部３９で重ね合わせた後、外方へ引っ張った状態で、差込板３０をハウジング５の差込口１０から差し込み、差込板３０の係止部１５を被係止部３２の先端に係止し、漸次差込板３０を押し込んで図示せぬ物品に巻き回したベルトＢが引き締められた状態となるように任意の被係止部３２に係止部１５と係止し、その後、ベルトＢの他端を引っ張ってベルトＢを緊締する。この時ベルト調整部３１はハウジング５内に収納され、外部より隠蔽される。
【００３８】
緊締されたベルトＢの雌体１と雄体２との施錠状態を解錠させるには、図３１に示すようにキー３の挿入部６３をキー挿入孔１１からハウジング５のガイド台５５上を通して垂下片１３の孔部７０に挿入すると、孔部７０のテーパー面５４によって、係止部１５の先端が下動し、差込板３０はガイド片５６に当接して支えられた状態で係止部１５を被係止部３２から脱却させ、雄体２の突出部５８を掴んで差込板３０をハウジング５から抜脱することにより、雌体１と雄体２とを分離開放させることができる。
【００３９】
ベルト調整部３１がハウジング５内に収納された状態においては、前述した実施例と同様に、ベルトＢの引き締めを更に緊締することは可能であるが、ベルトＢを緩める操作は一切行うことができない。
【００４０】
図３２、３３に示す第４実施例のバックルは、雌体１は内部に収納空間部６を設けた扁平な筒状のハウジング５から形成され、ハウジング５は上面板７、下面板８、側壁９から形成され、ハウジング５の一端に設けた差込口１０と対向する他端は密閉された状態に形成し、下面板８の中間に基台１４を設け、この基台１４の上端から差込後方へ一端を起点として他端を上方へ弾力的に突出させた被係止部３２を突設し、被係止部３２上には差込板３０の通路部４２が形成され、被係止部３２の先端は鋭角状に形成されている。また被係止部３２の前方には基台１４と同高の載置台６４を隅角部分に設けて阻止部６５を形成し、差込板３０の先端が載置できるように形成する。被係止部３２の先端の上方の上面板７には、キー３用の挿入孔１１が左右両側に設け、被係止部３２の両側を二股状のキー３によって押圧できるように形成する。また側壁９の差込口１０側に雄体２の突出部５８が嵌入できるガイド溝５９が形成され、ハウジング５の差込口１０の対向端にはベルトＢを取り付けるための取付部１２が形成されている。
【００４１】
一方雄体２は、図３３に示すように基杆２９の前方に被係止部３２より横幅の狭い板状の差込板３０を突設し、差込板３０の下面先端側に鍵状の係止部１５を設けて被係止部３２と係止できるように形成し、基杆２９の後方の両側には支持壁３３を連設し、この支持壁３３の基杆２９に近い部分にベルトＢを捲回し引っ掛けることができる引掛杆３４を架設し、この引掛杆３４の斜め下方にベルトＢを係止できる係止部３９を備えた係止杆３５を引掛杆３４に対向する形で架設し、ベルトＢの長さ調整ができるベルト調整部３１を形成する。この調整部３１はハウジング５内に収容できるように形成する。
【００４２】
支持壁３３の外側面には、雌体１のハウジング５に設けたガイド溝５９に嵌入できる突出部５８が突設され、雄体２の掴持が容易にできるように形成する。また基杆２９と差込板３０の付根に鍵状の補強部６０を設け、ハウジング５の基台１４に設けた凹陥部６７に嵌合できるように形成する。
【００４３】
このバックルの使用態様は、雄体２の調整部３１である引掛杆３４と係止杆３５とにベルトＢを挿通してベルトＢを引っ張った状態で雌体１の差込口１０から差込板３０を差し込み、押圧することによって差込板３０の係止部１５と雌体１の被係止部３２とが係止して施錠状態になり、この状態でベルト調整部３１はハウジング５内に収納されて外部より隠蔽され、調整部３１に配されたベルトＢを弛緩させることは一切できない。しかしベルトＢを引っ張って締め付けることは可能である。
【００４４】
雌体１と雄体２とが係止し施錠された状態からキー３を用いて解錠させるには、図３４に示した二股状のキー３をハウジング５の上面板７に設けた挿入孔１１に挿入し、キー３の先端が差込板３０を避けて被係止部３２の先端両側を押圧すると、差込板３０の先端は載置台６４の阻止部６５によって保持され、被係止部３２と係止部１５との係止状態が解除され差込板３０をハウジング５から自由に抜脱させることができる。
【００４５】
図３５、３６に示す第５実施例のバックルは、雌体１のハウジング５はやや長い長方形状で、上面板７、下面板８、側壁９から形成され、ハウジング５の中間に基台１４を下面板８上で側壁９間に架設し、基台１４の上端から端部側へ伸びる可撓性のある舌片状の被係止部３２を突設し、この被係止部３２の上方に差込板３０の通路部４２を形成し、被係止部３２の先端は鋭角状に形成されている。被係止部３２の前方には基台１４と同高に突出する阻止部６５を設けて差込板３０の下方への揺動を阻止する。また下面板８の先端にベルトＢの透孔２０を設けて取付部１２を形成し、被係止部３２の先端に相当する上面板７にキー３が挿入できる挿入孔１１を左右両側に分離して設け、被係止部３２の両側を二股状のキー３で押圧できるように形成する。上面板７の差込口１０側には長手方向に開口したガイド溝６８を設け、雄体２の係止杆３５の頂部に突設した突出部６９がガイド溝６８内を摺動できるように形成する。
【００４６】
雄体２は基杆２９の前面に平板状の差込板３６を突設し、差込板３０の下面に複数個の鍵状の係止部１５を設けて被係止部３２と係止できるように形成し、基杆２９の両側には支持壁３３に連設し、この支持壁３３における基杆２９に近い部分にベルトＢを捲回し引っ掛けることができる引掛杆３４を架設し、引掛杆３４の斜め下方にベルトＢを係止できる係止部３９を備えた係止杆３５を引掛杆３４に対向する形で架設し、係止杆３５の頂部には上面板７に設けたガイド溝６８内を摺動できる突出部６９が形成され、引掛杆３４および係止杆３５によって、ベルトＢの長さ調整ができる調整部３１を形成する。この調整部３１は係止杆３５の頂部に形成した突出部６９をガイド溝６８内に摺動させハウジング５の奥深く収容できるように形成する。また基杆２９と差込板３０付根両側に鍵状の補強部６０を設け、ハウジング５の基台１４の両端に設けた凹陥部６７に嵌合できる形に形成する。
【００４７】
このバックルの使用態様は、雄体２に設けた調整部３１の引掛杆３４と係止杆３５とにベルトＢを挿通してベルトＢをセットした状態で雌体１の差込口１０から差込板３０を差し込み、押圧することに差込板３０の係止部１５と雌体１の被係止部３２とが係止して施錠状態になり、この状態では調整部３１にセットされたベルトＢを弛緩させることは一切できない。しかしベルトＢを引っ張って締め付けることはできるように形成されている。
【００４８】
雌体１と雄体２とが係止し施錠された状態からキー３を用いて解錠させるには、二股状のキー３をハウジング５の上面板７に設けた挿入孔１１に挿入し、被係止部３２の先端両側を押圧すると、差込板３０の先端は阻止部６５によって下動を阻止され、被係止部３２から係止片１５が脱却して施錠状態は解錠され差込板３０はハウジング５から自由に抜脱させることができる。
【００４９】
【発明の効果】
この発明のバックルは、以上説明したとおりの構成であり、この構成によって下記の効果を奏する。
【００５０】
この発明のうち請求項１記載の発明は、雌体と雄体とから形成されたバックルにおいて、雌体はハウジング内に雄体の収納空間部を形成し、ハウジングには収納空間部内へ連通する雄体の差込口とキー挿入孔を設け、差込口の対向端にベルト取付部を設け、雄体は平板状の差込板の基端にベルト調整部を設け、ハウジングと差込板の対向面のいずれか一方に係止部を突設し、いずれか他方に弾性変形可能な被係止部を弾出し、差込時には係止部と被係止部とが係止するとともに、ベルト調整部がハウジングにより隠蔽され、抜取時にはキーの挿入により被係止部を弾性変形させ係止部と被係止部との係止を解除可能にしたことによって、バックルは雄体を雌体に差し込んで係止させると、キーを用いない限り、雄体を抜脱させることができない。またベルトの調整部はハウジング内に隠蔽されるので、ベルトの弛緩操作は絶対にできない。ただしベルトの緊締操作はできるという便利なバックルで安心して使用することができ、宅配商品のパッケージや旅行用鞄の締結ベルトとして安全である効果がある。
【００５１】
請求項２記載の発明は、請求項１記載の発明の効果に加え、ハウジングの上面板にフック状の係止部を突設し、差込板の表面に一端を起点として他端が上方へ弾出する被係止部を設けたことによって、ハウジングに設けた係止部と差込板に設けた被係止部が機能的に優れた状態で係合できる効果がある。
【００５２】
請求項３記載の発明は、請求項１または２記載の発明の効果に加え、差込板の一面にキーの先端が当接する当接部を設けたことによって、キーの挿入により簡単かつ的確に差込板を排出できる効果がある。
【００５３】
請求項４記載の発明は、請求項２に記載の発明の効果に加え、キーをバックルに適切に使用できるように形成し、しかも悪戯の防止を図れる効果があるなど、この発明が奏する効果は顕著である。
【図面の簡単な説明】
【図１】  第１実施例のバックルの斜視図である。
【図２】  同上バックルの雌体の正面図である。
【図３】  同上雌体の図２におけるＡ−Ａ線断面図である。
【図４】  同上雌体の図３におけるＢ−Ｂ線断面図である。
【図５】  同上バックルの雄体の正面図である。
【図６】  同上雄体の図５におけるＣ−Ｃ線断面図である。
【図７】  同上バックルのキーの正面図である。
【図８】  同上キーの図７におけるＤ−Ｄ線断面図である。
【図９】  同上バックルの雌体と雄体の係止状態を示す断面図である。
【図１０】  同上バックルの雌体と雄体の係合状態をキーによって解錠したときの断面図である。
【図１１】  第２実施例のバックルの斜視図である。
【図１２】  同上バックルにおける雌体の正面図である。
【図１３】  同上雌体の図１２におけるＥ−Ｅ線断面図である。
【図１４】  同上雌体の側面図である。
【図１５】  同上雌体の図１３におけるＦ- Ｆ線断面図である。
【図１６】  同上雌体の図１３におけるＧ- Ｇ線断面図である。
【図１７】  同上バックルにおける雄体の正面図である。
【図１８】  同上雄体の側面図である。
【図１９】  同上雌体の図１７におけるＨ−Ｈ線断面図である。
【図２０】  同上バックルにおける雌体と雄体との係止状態を示す図２１におけるＩ−Ｉ線断面図である。
【図２１】  同上バックルの図２０におけるＪ−Ｊ線断面図である。
【図２２】  同上バックルの可動調整部の作動を示す要部の拡大断面図である。
【図２３】  第３実施例のバックルの斜視図である。
【図２４】  同上バックルにおける雌体の正面図である。
【図２５】  同上雌体の図２４におけるＫ−Ｋ線断面図である。
【図２６】  同上雌体の側面図である。
【図２７】  同上バックルにおける雄体の正面図である。
【図２８】  同上雄体の図２７におけるＬ−Ｌ線断面図である。
【図２９】  同上バックルの雌体と雄体との係合状態を示す側面図である。
【図３０】  同上バックルの雌体と雄体との係合初期の状態を示す断面図である。
【図３１】  同上バックルのキーによる解錠状態を示す断面図である。
【図３２】  第４実施例のバックルの側面図である。
【図３３】  同上バックルの雌体と雄体との係合状態を示す断面図である。
【図３４】  同上バックルに用いるキーの拡大正面図である。
【図３５】  第５実施例のバックルの雌体と雄体との係合状態を示す正面図である。
【図３６】  同上バックルの図３５におけるＭ−Ｍ線断面図である。
【図３７】  公知のバックルの雌体と雄体との係合時の断面図である。
【符号の説明】
１            雌体
２            雄体
３            キー
５            ハウジング
６            収納空間部
７            上面板
１０            差込口
１１            キー挿入孔
１２            ベルト取付部
１５            係止部
３０            差込板
３１            ベルト調整部
３２            被係止部
３７            当接部
【図１】
0003784000.tif 000002
【図２】
0003784000.tif 000003
【図３】
0003784000.tif 000004
【図４】
0003784000.tif 000005
【図５】
0003784000.tif 000006
【図６】
0003784000.tif 000007
【図７】
0003784000.tif 000008
【図８】
0003784000.tif 000009
【図９】
0003784000.tif 000010
【図１０】
0003784000.tif 000011
【図１１】
0003784000.tif 000012
【図１２】
0003784000.tif 000013
【図１３】
0003784000.tif 000014
【図１４】
0003784000.tif 000015
【図１５】
0003784000.tif 000016
【図１６】
0003784000.tif 000017
【図１７】
0003784000.tif 000018
【図１８】
0003784000.tif 000019
【図１９】
0003784000.tif 000020
【図２０】
0003784000.tif 000021
【図２１】
0003784000.tif 000022
【図２２】
0003784000.tif 000023
【図２３】
0003784000.tif 000024
【図２４】
0003784000.tif 000025
【図２５】
0003784000.tif 000026
【図２６】
0003784000.tif 000027
【図２７】
0003784000.tif 000028
【図２８】
0003784000.tif 000029
【図２９】
0003784000.tif 000030
【図３０】
0003784000.tif 000031
【図３１】
0003784000.tif 000032
【図３２】
0003784000.tif 000033
【図３３】
0003784000.tif 000034
【図３４】
0003784000.tif 000035
【図３５】
0003784000.tif 000036
【図３６】
0003784000.tif 000037
【図３７】
0003784000.tif 000038